(57)【要約】【課題】サポートベルトの上下位置を簡単に調整でき、使用中のサポートベルトの意図しない脱落を確実に防止すること。【解決手段】子守帯1は、幼児を支持するサポート本体と、ユーザの肩周りに延在し、両端部がサポート本体に結合された肩ベルト9A,9Bと、肩ベルト同士を連結するサポートベルト17A,17Bと、サポートベルト17A,17Bの上下方向位置を調節するサポートベルト位置調節手段とを備える。サポートベルト位置調節手段は、肩ベルト9A,9Bの長手方向に沿って延在し、その両端部が肩ベルト9A,9Bに結合されたスライドベルト30A,30Bと、サポートベルト17A,17Bの端部を折り返してサポートベルト自身にその一部を結合して形成され、スライドベルト30A,30bがその内部に挿通された平坦な環状部31A,31Bとを有する。【選択図】図１２
2014176494.tif 000002
【特許請求の範囲】
【請求項１】
幼児を支持するためのサポート本体と、
前記ユーザの左右の肩周りに沿うように延在し、それぞれの両端部が前記サポート本体に結合された左右一対の肩ベルトと、
前記肩ベルト同士を連結するサポートベルトと、
前記サポートベルトの上下方向の位置を調節するためのサポートベルト位置調節手段と、を備え、
前記サポートベルト位置調節手段は、
前記肩ベルトの長手方向に沿って延在し、その両端部が前記肩ベルトに結合されたスライドベルトと、
前記サポートベルトの端部を折り返して前記サポートベルト自身にその一部を結合することにより形成され、前記スライドベルトがその内部に挿通された平坦な環状部と、を有する、子守帯。
【請求項２】
前記スライドベルトと前記平坦な環状部との間の摩擦力によって、前記サポートベルトの、前記スライドベルトに対する移動に所望の抵抗が付与されるように構成されている、請求項１記載の子守帯。
【請求項３】
前記平坦な環状部は、前記サポートベルトの端部を前記サポートベルト自身に縫い付けることにより形成されており、その際の縫製ラインの位置を調整することで前記所望の抵抗が実現されている、請求項２記載の子守帯。
【請求項４】
前記縫製ラインが、前記スライドベルトの側縁の僅かに外側に位置決めされている、請求項３記載の子守帯。
【請求項５】
前記肩ベルトの少なくとも一部が、肩ベルト外面シートと肩ベルト内面シートとを重ね合わせて形成されており、
前記スライドベルトが、前記肩ベルト外面シートと前記肩ベルト内面シートとの間に配置されている、請求項１乃至４のいずれか一項に記載の子守帯。
【請求項６】
幼児を支持するためのサポート本体と、
前記ユーザの左右の肩周りに沿うように延在し、それぞれの両端部が前記サポート本体に結合された左右一対の肩ベルトと、
前記肩ベルト同士を連結するサポートベルトと、
前記サポートベルトの上下方向の位置を調節するためのサポートベルト位置調節手段と、を備え、
前記肩ベルトの少なくとも一部が、肩ベルト外面シートと肩ベルト内面シートとを重ね合わせて形成されており、
前記サポートベルト位置調節手段が、前記肩ベルト外面シートと前記肩ベルト内面シートとの間に配置されている、子守帯。
【発明の詳細な説明】
【技術分野】
【０００１】
本発明は、ユーザが幼児を抱っこやおんぶする際に使用する子守帯に関する。
【背景技術】
【０００２】
従来より、ユーザが幼児を抱っこしたり、おんぶしたりする際の補助具として、子守帯が使用されている。一般的な子守帯は、幼児を支持するためのサポート本体と、サポート本体の下端部に連結され、ユーザの腰回りに装着される腰パッドおよび腰ベルトと、ユーザの左右の肩周りに沿うように延在し、それぞれの両端部がサポート本体に結合された左右一対の肩ベルトと、肩ベルト同士を連結するサポートベルトと、を備えている（例えば、特許文献１参照）。
【０００３】
図３４に示したように、従来の子守帯１００のサポートベルト１０１は、左右の肩ベルト１０２同士を連結することにより、肩ベルト１０２がユーザ１０３から外れないようにするものである。
【０００４】
ところが、従来の子守帯１００においては、サポートベルト１０１の上下方向の位置が固定されているため、ユーザ１０３の体型や好みに合わせてサポートベルト１０１の位置を調節することができなかった。
【０００５】
特に、おんぶと抱っこの両方に使用可能な子守帯１００の場合、サポートベルト１０１の最適な上下位置が、おんぶのときと抱っこのときとで異なる場合が多いので、サポートベルト１０１の上下方向の位置が固定されていると不便である。
【０００６】
この問題を解決するために、従来の子守帯の中には、図３５に示したように、サポートベルト１０１の両端部を左右の肩ベルト１０２に巻き付けて、肩ベルト１０２の外面上をスライドさせてサポートベルト１０１の上下位置を調整するタイプもある。
【０００７】
しかしながら、このタイプの子守帯では、サポートベルト１０１の端部を肩ベルト１０２全体に巻き付けているため、サポートベルト１０１が露出して見栄えが良くない。また、肩ベルト１０２がサポートベルト１０１によって引っ張られて曲がってしまい、見栄えが良くないだけでなく、サポートベルト１０１が肩ベルト１０２に食い込んでいるので上下調整時の動作を円滑に行うことができない。さらに、サポートベルト１０１自体を支持するために、肩ベルト１０２自体に、ある程度の硬さが要求されるので、肩ベルト１０２の厚みが増してしまうという問題もある。
【０００８】
また、従来の子守帯の中には、図３６に示したように、サポートベルト１０１の端部にクリップ１０４を設け、このクリップ１０４によってサポートベルト１０１を肩ベルト１０２に着脱自在に連結するタイプもある。
【０００９】
しかしながら、このタイプの子守帯は、肩ベルト１０２へのサポートベルト１０１の固定がクリップ止めであるため、クリップ１０４が使用中に外れてしまう懸念がある。また、外からクリップ１０４が見えてしまうので、見栄えが良くないという問題もある。さらに、クリップ１０４は硬い部材で形成されているので、ユーザ１０３の体にクリップ１０４が当たると強い刺激が加えられてしまうという問題もある。
【先行技術文献】
【特許文献】
【００１０】
【特許文献１】特開２００７−２６８０７３号公報
【発明の概要】
【発明が解決しようとする課題】
【００１１】
本発明は、上述した従来技術の問題点に鑑みて成されたものであり、サポートベルトの上下位置を簡単に調整できると共に、使用中のサポートベルトの意図しない脱落を確実に防止できる子守帯を提供することを目的とする。
【００１２】
また、本発明は、サポートベルトの上下位置調整手段を備えた子守帯において、子守帯の見栄えが悪くならず、すっきりとした外観を実現することを目的とする。
【課題を解決するための手段】
【００１３】
本発明の第１の特徴による子守帯は、幼児を支持するためのサポート本体と、前記ユーザの左右の肩周りに沿うように延在し、それぞれの両端部が前記サポート本体に結合された左右一対の肩ベルトと、前記肩ベルト同士を連結するサポートベルトと、前記サポートベルトの上下方向の位置を調節するためのサポートベルト位置調節手段と、を備え、前記サポートベルト位置調節手段は、前記肩ベルトの長手方向に沿って延在し、その両端部が前記肩ベルトに結合されたスライドベルトと、前記サポートベルトの端部を折り返して前記サポートベルト自身にその一部を結合することにより形成され、前記スライドベルトがその内部に挿通された平坦な環状部と、を有する。
【００１４】
また、好ましくは、前記スライドベルトと前記平坦な環状部との間の摩擦力によって、前記サポートベルトの、前記スライドベルトに対する移動に所望の抵抗が付与されるように構成されている。
【００１５】
また、好ましくは、前記平坦な環状部は、前記サポートベルトの端部を前記サポートベルト自身に縫い付けることにより形成されており、その際の縫製ラインの位置を調整することで前記所望の抵抗が実現されている。
【００１６】
また、好ましくは、前記縫製ラインが、前記スライドベルトの側縁の僅かに外側に位置決めされている。
【００１７】
また、好ましくは、前記肩ベルトの少なくとも一部が、肩ベルト外面シートと肩ベルト内面シートとを重ね合わせて形成されており、前記スライドベルトが、前記肩ベルト外面シートと前記肩ベルト内面シートとの間に配置されている。
【００１８】
本発明の第２の特徴による子守帯は、幼児を支持するためのサポート本体と、前記ユーザの左右の肩周りに沿うように延在し、それぞれの両端部が前記サポート本体に結合された左右一対の肩ベルトと、前記肩ベルト同士を連結するサポートベルトと、前記サポートベルトの上下方向の位置を調節するためのサポートベルト位置調節手段と、を備え、前記肩ベルトの少なくとも一部が、肩ベルト外面シートと肩ベルト内面シートとを重ね合わせて形成されており、前記サポートベルト位置調節手段が、前記肩ベルト外面シートと前記肩ベルト内面シートとの間に配置されている。
【発明の効果】
【００１９】
本発明の第１の特徴による子守帯によれば、サポートベルトの上下位置を簡単に調整できると共に、使用中のサポートベルトの意図しない脱落を確実に防止できる。
【００２０】
本発明の第２の特徴による子守帯によれば、サポートベルトの上下位置調整手段を設けたにもかかわらず、子守帯の見栄えが悪くならず、すっきりとした外観を実現できる。
【図面の簡単な説明】
【００２１】
【図１】本発明の一実施形態による子守帯の各種の使用形態を示す図であり、（ａ）は縦対面抱っこ形態、（ｂ）は縦前向き抱っこ形態、（ｃ）は横抱っこ形態、（ｄ）はおんぶ形態をそれぞれ示す。
【図２】同実施形態による子守帯の各使用形態に応じた参考月齢および限度体重の一例を示した図。
【図３】同実施形態による子守帯の正面図。
【図４】同実施形態による子守帯の背面図。
【図５】同実施形態による子守帯の斜視図。
【図６】同実施形態による子守帯のヘッドサポートバックルおよびその周辺の拡大図。
【図７】同実施形態による子守帯の股幅調節手段およびその周辺の拡大図であり、拡幅状態を示した正面図。
【図８】同実施形態による子守帯の本体収納袋およびその周辺の拡大図であり、腰パッドポケットから本体収納袋を取り出した状態を示した正面図。
【図９】同実施形態による子守帯の股幅調節手段およびその周辺の拡大図であり、狭幅状態を示した正面図。
【図１０】同実施形態による子守帯の本体を本体収納袋の中に収納する様子を示した説明図であり、（ａ）は腰パッドポケットから本体収納袋を引き出すと共に肩ベルトを折り畳んだ状態を示し、（ｂ）はさらに子守帯本体の上部を折り畳んだ状態を示し、（ｃ）は子守帯本体を本体収納袋の中に収納した状態を示す。
【図１１】同実施形態による子守帯を装着したユーザの後ろ姿を示した図。
【図１２】同実施形態によるサポートベルトおよびその周辺の拡大図であり、（ａ）はオス側のサポートバックルを含むサポートベルトを示し、（ｂ）はメス側のサポートバックルを含むサポートベルトを示す。
【図１３】図１２（ｂ）を拡大して示した図。
【図１４】同実施形態による子守帯を縦対面抱っこ形態で使用する際の手順を説明するための図。
【図１５】同実施形態による子守帯を縦対面抱っこ形態で使用する際の手順を説明するための図。
【図１６】同実施形態による子守帯を縦対面抱っこ形態で使用する際の手順を説明するための図。
【図１７】同実施形態による子守帯を縦対面抱っこ形態で使用する際の手順を説明するための図。
【図１８】同実施形態による子守帯を縦対面抱っこ形態で使用する際の手順を説明するための図。
【図１９】同実施形態による子守帯を縦対面抱っこ形態で使用する際の手順を説明するための図。
【図２０】同実施形態による子守帯を縦対面抱っこ形態で使用する際の手順を説明するための図。
【図２１】同実施形態による子守帯を縦対面抱っこ形態で使用する際の使用方法を説明するための図であり、（ａ）は股部を拡幅状態で使用すると幼児の膝が延びきってしまう様子を示し、（ｂ）は股部を狭幅状態で使用することにより幼児の両足が自然な状態になる様子を示す。
【図２２】同実施形態による子守帯の股部を拡幅状態から狭幅状態に切り替える様子を示した正面図であり、（ａ）は拡幅状態を示し、（ｂ）は狭幅状態を示す。
【図２３】同実施形態による子守帯の股部を拡幅状態から狭幅状態に切り替える様子を示した拡大正面図であり、（ａ）は股幅調節手段のファスナーを外した状態を示し、（ｂ）はさらに股幅調節シート部を折り畳んで腰パットポケットの中に収納した状態を示す。
【図２４】同実施形態による子守帯を前向き抱っこ形態で使用する際の手順を説明するための図。
【図２５】同実施形態による子守帯を前向き抱っこ形態で使用する際の手順を説明するための図。
【図２６】同実施形態による子守帯を前向き抱っこ形態で使用する際の手順を説明するための図。
【図２７】同実施形態による子守帯を前向き抱っこ形態で使用する際の手順を説明するための図。
【図２８】同実施形態による子守帯を前向き抱っこ形態で使用する際の手順を説明するための図。
【図２９】同実施形態による子守帯を前向き抱っこ形態で使用する際の手順を説明するための図。
【図３０】同実施形態による子守帯をおんぶ形態で使用する際の手順を説明するための図。
【図３１】同実施形態による子守帯をおんぶ形態で使用する際の手順を説明するための図。
【図３２】同実施形態による子守帯をおんぶ形態で使用する際の手順を説明するための図。
【図３３】同実施形態による子守帯をおんぶ形態で使用する際の手順を説明するための図。
【図３４】従来の子守帯を説明するための図。
【図３５】従来の子守帯を説明するための図。
【図３６】従来の子守帯を説明するための図。
【発明を実施するための形態】
【００２２】
以下、本発明の一実施形態による子守帯について、添付図面を参照して説明する。
【００２３】
図１に示すように本実施形態の子守帯１は、ユーザ２が、幼児３を対面状態で抱っこする縦対面抱っこ形態（図１（ａ））と、幼児３を前向きの状態で抱っこする縦前向き抱っこ形態（図１（ｂ））と、幼児３を横向きの姿勢で抱っこする横抱っこ形態（図１（ｃ））と、幼児３をおんぶするおんぶ形態（図１（ｄ））の四つの使用形態から、一つの形態を選択して使用することが可能である。
【００２４】
図２に示したように、子守帯１の各使用形態に応じてそれに適した参考月齢および限度体重が規定される。但し、図２の参考月齢および限度体重はあくまでも目安であり、本実施形態による子守帯１の使用方法はこれに限定されるものではない。
【００２５】
以下では、縦対面抱っこ形態および縦前向き抱っこ形態にて使用する場合を中心に、子守帯１について説明する。なお、横抱っこ形態では、横抱っこシート４が追加的に使用されるが、その詳細は本発明の要旨外なので説明を省略する。以下の説明では、縦対面抱っこ形態および縦前向き抱っこ形態を、縦抱っこ形態と総称することがある。
【００２６】
図３乃至図５に示したように、本実施形態の子守帯１は、幼児を支持するためのサポート本体５を備え、このサポート本体５の下端部に、ユーザ２の腰回りに装着される腰パッド６が連結されている。腰パッド６の左右両端部には、左右一対の腰ベルト７Ａ、７Ｂが連結されている。腰パッド６と腰ベルト７Ａ、７Ｂによって、腰部装着手段が構成されている。
【００２７】
一方の腰ベルト７Ａにはオス側腰ベルトバックル８Ａが設けられ、他方の腰ベルト７Ｂにはメス側腰ベルトバックル８Ｂが設けられており、オス側腰ベルトバックル８Ａとメス側腰ベルトバックル８Ｂとを着脱自在に連結できる。オス側腰ベルトバックル８Ａとメス側腰ベルトバックル８Ｂは、各腰ベルト７Ａ、７Ｂの長手方向に沿って移動自在であり、これにより、ユーザの腰回りに巻き付ける腰ベルト７Ａ、７Ｂ全体の長さを調節することができる。
【００２８】
また、子守帯１は、ユーザ２の左右の肩周りに沿うように延在し、それぞれの両端部がサポート本体５に結合された左右一対の肩ベルト９Ａ、９Ｂを備えている。肩ベルト９Ａ、９Ｂの上端は、サポート本体５に分離不能に連結されている。肩ベルト９Ａ、９Ｂの下端にラダー１０Ａ、１０Ｂが設けられ、このラダー１０Ａ、１０Ｂに脇ベルト１１Ａ、１１Ｂの一端が挿通されている。脇ベルト１１Ａ、１１Ｂの他端は、サポート本体５に分離不能に連結されており、ラダー１０Ａ、１０Ｂを操作することにより、脇ベルト１１Ａ、１１Ｂの他端からラダー１０Ａ、１０Ｂまでの距離を調節することができる。
【００２９】
図４および図５に示したように、一方の肩ベルト９Ｂのサポート本体５側の端部の近傍には、ブリッジベルト１２の一端が分離不能に連結されている。ブリッジベルト１２の他端にはオス側ブリッジバックル１３Ｂが設けられている。他方の肩ベルト９Ａのサポート本体５側の端部の近傍には、メス側ブリッジバックル１３Ａが設けられており、このメス側ブリッジバックル１３Ａとオス側ブリッジバックル１３Ｂとを着脱自在に連結できる。
【００３０】
サポート本体５の上部はヘッドサポート部１４によって構成されており、このヘッドサポート部１４と左右の肩ベルト９Ａ、９Ｂとの連結部分の内部には、左右のヘッドサポートベルト１５Ａ、１５Ｂが挿通されている。
【００３１】
図６に示したように、ヘッドサポートベルト１５Ａ（１５Ｂ）は、その途中にメス側およびオス側のヘッドサポートバックル１６が設けられており、これらのヘッドサポートバックル１６によって着脱自在且つ長さ調節可能に連結されている。
【００３２】
また、図５に示したように、子守帯１は、左右の肩ベルト９Ａ、９Ｂを連結するためのサポートベルト１７Ａ、１７Ｂを備えている。このサポートベルト１７Ａ、１７Ｂは、その途中にメス側およびオス側のサポートベルトバックル１８Ａ、１８Ｂが設けられており、これらのサポートベルトバックル１８Ａ、１８Ｂによってサポートベルト１７Ａ、１７Ｂが着脱自在且つ長さ調節可能に連結されている。
【００３３】
図７乃至図９に示したように、子守帯１は、サポート本体５のうちの幼児３の股部が当たる股部当接部１９の幅である股幅を調節するための股幅調節手段として、左右一対のファスナー２０Ａ、２０Ｂを備えている。
【００３４】
ファスナー２０Ａ、２０Ｂは、サポート本体５の左右下部を構成する左右一対の股幅調節シート部２１Ａ、２１Ｂを、サポート本体５の残余部分から分離可能とするものである。各股幅調節シート部２１Ａ、２１Ｂは、全体として略三角形を成している。ファスナー２０Ａ、２０Ｂとしては、例えばセミオートマチック・ロックスライダーを有するファスナーを使用することができる。
【００３５】
ファスナー２０Ａ、２０Ｂを開放して股部当接部１９が狭幅状態にあるとき（図９）のサポート本体５の残余部分と腰パッド６との連結部分は、分離不能に連結されている。
【００３６】
股幅調節手段を構成するファスナー２０Ａ、２０Ｂは、股部当接部１９を、縦対面抱っこに適した拡幅状態（図７）と、縦前向き抱っこおよび縦対面抱っこ（小さめの幼児用）に適した狭幅状態（図９）とで選択的に切り替え可能とする。
【００３７】
腰パッド６の中央前面には、分離された股幅調節シート部２１Ａ、２１Ｂを折り畳んで収納するための腰パッドポケット２２が上方に開口して設けられている。腰パッドポケット２２の内側に、サポート本体５および肩ベルト７Ａ、７Ｂを収納するための本体収納袋２３が、腰パッドポケット２２から引出し可能に一部固定して設けられている（図８）。
【００３８】
腰パッド６の左右前面には、左右の腰ベルト７Ａ、７Ｂを収納するために側方に開口した左右の腰ベルト収納ポケット２４Ａ、２４Ｂが設けられている。横抱っこ形態にて子守帯１を使用する際には、腰ベルト７Ａ、７Ｂを腰ベルト収納ポケット２４Ａ、２４Ｂの中に収納する。
【００３９】
図７および図８に示したように、子守帯１は、閉じた状態のファスナー２０Ａ、２０Ｂの引手２５（図１４参照）を覆うことにより、引手２５が意図せずに操作されてファスナー２０Ａ、２０Ｂが開いてしまうことを防止するためのカバー手段２６Ａ、２６Ｂ、２７Ａ、２７Ｂを有する。
【００４０】
このカバー手段は、股幅調節シート部２１Ａ、２１Ｂに設けられたシート状の引手カバー２６Ａ、２６Ｂと、引手カバー２６Ａ、２６Ｂをサポート本体５の残余部分に分離可能に結合するための引手カバーホック２７Ａ、２７Ｂとを有する。なお、変形例としては、引手カバー２６Ａ、２６Ｂを、股幅調節シート部２１Ａ、２１Ｂ側ではなく、サポート本体５の残余部分側に設けることもできる。
【００４１】
そして、ファスナー２０Ａ、２０Ｂを閉じた状態でその引手２５を引手カバー２６Ａ、２６Ｂによって覆うことにより、引手２５が意図せずに操作されることが防止され、子守帯１の使用中にファスナー２０Ａ、２０Ｂが意図せずに開放することを確実に防止することができる。
【００４２】
また、本実施形態による子守帯１においては、ファスナー２０Ａ、２０Ｂの延在方向と、股幅調節シート部２１Ａ、２１Ｂの下縁とが成す角度が、４５度よりも大きく設定されており、好ましくは略７５度に設定される。これにより、ファスナー２０Ａ、２０Ｂのかみ合い部分であるエレメント同士を引き離す方向への外力の大きさを抑制することができる。
【００４３】
ファスナー２０Ａ、２０Ｂは、そのスライダーをサポート本体５の側縁から腰パッド６の上縁に向けて斜め下方に移動させて閉じるように配置されている。これにより、ファスナー２０Ａ、２０Ｂのかみ合い部分であるエレメント同士を引き離す方向への外力が加えられた場合でも、エレメント同士が意図せずに開放してしまうことを確実に防止できる。
【００４４】
図９に示したように、本実施形態による子守帯１においては、股幅調節シート部２１Ａ、２１Ｂをサポート本体５の残余部分から分離した狭幅状態において幼児３の股部に当接されるサポート本体５の股縁部２８を外した位置に股部縫製ライン２９が配置されている。これにより、狭幅状態で子守帯１を使用する際に、幼児３の股繰り部（足の付け根の部分）に股部縫製ライン２９が当たって強い刺激が加えれることを防止することができる。
【００４５】
図１０に示したように、子守帯１においては、ユーザ２の腰回りに腰パッド６を装着したままの状態で、左右の肩ベルト７Ａ、７Ｂを内側に折り畳み（図１０（ａ））、さらにサポート本体５の上部を内側に折り畳み（図１０（ｂ））、最後にサポート本体５および肩ベルト７Ａ、７Ｂを全体的に折り畳んで本体収納袋２３の中に収納することができる。
【００４６】
図１１は、ユーザ２が子守帯１を縦抱っこ形態で装着した状態を示しており、この状態においては、サポートベルト１７Ａ、１７Ｂおよび腰ベルト７Ａ、７Ｂがユーザ２の背面側に位置している。
【００４７】
図１２および図１３に示したように、本実施形態による子守帯１は、サポートベルト１７Ａ、１７Ｂの上下方向の位置を調節するためのサポートベルト位置調節手段３０Ａ、３０Ｂ、３１Ａ、３１Ｂを備えている。
【００４８】
具体的には、このサポートベルト位置調節手段は、左右の肩ベルト９Ａ、９Ｂの長手方向に沿って延在し、その両端部が肩ベルト９Ａ、９Ｂに結合された左右一対のスライドベルト３０Ａ、３０Ｂを有する。そして、サポートベルト１７Ａ、１７Ｂの一方の端部を折り返してサポートベルト自身にその一部を結合することにより、スライドベルト３０Ａ、３０Ｂがその内部に挿通された平坦な環状部３１Ａ、３１Ｂが形成されている。
【００４９】
そして、スライドベルト３０Ａ、３０Ｂと平坦な環状部３１Ａ、３１Ｂとの間の摩擦力によって、サポートベルト１７Ａ、１７Ｂの、スライドベルト３０Ａ、３０Ｂに対する移動に所望の抵抗が付与される。これにより、子守帯１の使用中にサポートベルト１７Ａ、１７Ｂに外力が加えられた場合でも、サポートベルト１７Ａ、１７Ｂが意図せずに上下に移動してしまうことを防止できる。
【００５０】
サポートベルト１７Ａ、１７Ｂの端部に形成された平坦な環状部３１Ａ、３１Ｂは、サポートベルト１７Ａ、１７Ｂの端部をサポートベルト自身に縫い付けることにより形成されており、その際の縫製ライン３２の位置を調整することで摩擦力が最適化されている。図１３に示したように、一対の縫製ライン３２が、スライドベルト３０Ｂ（３０Ａ）の両側縁の僅かに外側に位置決めされている。
【００５１】
また、肩ベルト９Ａ、９Ｂの少なくとも一部が、肩ベルト外面シート３３と肩ベルト内面シート３４とを重ね合わせて形成されている。スライドベルト３０Ａ、３０Ｂは、肩ベルト外面シート３３と肩ベルト内面シート３４との間に配置されている。これにより、スライドベルト３０Ａ、３０Ｂおよび平坦な環状部３１Ａ、３１Ｂから成るサポートベルト位置調節手段が外側から見えないので、サポートベルト位置調節手段を設けた場合でも子守帯１の見栄えが悪くなることがなく、すっきりとした外観を実現できる。
【００５２】
次に、本実施形態による子守帯１を縦対面抱っこ形態（図１（ａ））で使用する際の手順について、図１４乃至図２０を参照して説明する。
【００５３】
図１４に示したように、まず準備段階として、ブリッジバックル１３Ａ、１３Ｂを分離状態としておく。左右のヘッドサポートバックル１６が連結されていることを確認する。ファスナー２０Ａ、２０Ｂが閉じられており、引手カバー２６Ａ、２６Ｂのホック２７Ａ、２７Ｂが留め付けられていることを確認する。なお、ファスナー２０Ａ、２０Ｂの引手２５は、図示の如くファスナー２０Ａ、２０Ｂのエレメント側に引き倒すようにする。
【００５４】
ここで、本実施形態による子守帯１においては、引手カバー２６Ａ、２６Ｂによってファスナー２０Ａ、２０Ｂの引手２５が覆われているので、子守帯１の使用中に引手２５が意図せずに操作されてファスナー２０Ａ、２０Ｂが開いてしまうことを確実に防止できる。
【００５５】
特に、セミオートマチック・ロックスライダーを有するファスナーの場合、引手２５を引き上げることによってロックが外れるように構成されているので、引手２５を引手カバー２６Ａ、２６Ｂで覆うことによりファスナーのロック状態を確実に維持することができる。
【００５６】
次に、図１５に示したように、幼児３を子守帯１の上に乗せ、図示の如く両腕と両足を各所に通す。このとき、幼児３の頭がヘッドサポート１４の上に乗るようにする。
【００５７】
次に、図１６に示したように、ブリッジバックル１３Ａ、１３Ｂとサポートバックル１８Ａ、１８Ｂをそれぞれ連結する。左右の脇ベルト１１Ａ、１１Ｂが幼児３の股の間を通っていることを確認する。続いて、図１７に示したように、腰パッド６をユーザ２の腰に巻き、腰ベルトバックル８Ａ、８Ｂを連結する。
【００５８】
次に、図１８に示したように、左右の肩ベルト９Ａ、９Ｂとブリッジベルト１２とサポートベルト１７Ａ、１７Ｂによって形成された輪の中に、サポートベルト１７Ａ、１７Ｂの下をくぐるようにしてユーザ２の頭を内側から通す。このとき、ユーザ２がくぐりやすくするために、予め脇ベルト１１Ａ、１１Ｂは長めに調節しておくようにする。
【００５９】
次に、図１９に示したように、脇ベルト１１Ａ、１１Ｂの先端を手前に引き、ユーザ２の身体にフィットさせる。このとき、脇ベルト１１Ａ、１１Ｂの余りが左右同じ長さになるように調節する。もし脇ベルト１１Ａ、１１Ｂを短くし過ぎたときは、図２０に示したようにラダー１０Ａ、１０Ｂを指で上に起こし、脇ベルト１１Ａ、１１Ｂを引っ張って長さを調節する。
【００６０】
本実施形態による子守帯１を縦対面抱っこ形態（図１（ａ））で使用する際の手順は上記の通りであるが、低月齢の小さめの幼児の場合には、図２１（ａ）に示したように両膝が子守帯１の内側に来てしまい、両足が伸びきった状態になってしまうことがある。
【００６１】
そこで、低月齢の小さめの幼児を縦対面抱っこする際には、子守帯１を、図２２（ａ）に示した拡幅状態から、図２２（ｂ）に示した狭幅状態に切り替えて使用する。このとき、図２３（ａ）に示したようにファスナー２０Ａ、２０Ｂを開けて分離された股幅調節シート部２１Ａ、２１Ｂは、図２３（ｂ）に示したように折り畳まれて腰パッドポケット２２の中に収納される。
【００６２】
次に、本実施形態による子守帯１を縦前向き抱っこ形態（図１（ｂ））で使用する際の手順について、図２４乃至図２９を参照して説明する。
【００６３】
縦前向き抱っこ形態での使用に際しては、準備段階して、上述の図２２（ｂ）に示したように子守帯１を狭幅状態としておく。そして、図２４に示したように肩ベルト９Ａ、９Ｂを肩にかけて、サポートバックル１８Ａ、１８Ｂを背中（図２４上段）または首の後ろ（図２４下段）で連結する。
【００６４】
上述したようにサポートベルト１７Ａ、１７Ｂの位置は、サポートベルト位置調節手段３０Ａ、３０Ｂ、３１Ａ、３１Ｂによって上下に容易に調節可能であるので、肩ベルト９Ａ、９Ｂを肩にかける前、および／または肩にかけた後で、サポートベルト１７Ａ、１７Ｂを上下に移動させて最適な位置に容易に調節することができる。
【００６５】
また、サポートベルト位置調節手段３０Ａ、３０Ｂ、３１Ａ、３１Ｂは、肩ベルト９Ａ、９Ｂの中に隠れて外側からは見えないので、使用状態において子守帯１の見栄えを良くして、すっきりさせることができる。
【００６６】
次に、図２５に示したように、腰パッド６を腰に巻き、腰ベルトバックル８Ａ、８Ｂをユーザ２の背後で連結する。続いて、図２６に示したように、左右のヘッドサポートバックル１６を分離した後、図２７に示したように幼児３を子守帯１に乗せる。
【００６７】
次に、図２８に示したように、ヘッドサポート１４を外側に折り畳み、幼児３の顔周りを締め付け過ぎないようにヘッドサポートベルト１５Ａ、１５Ｂの長さを調節した後、ヘッドサポートバックル１６を連結する。続いて、図２９に示したようにブリッジバックル１３Ａ、１３Ｂを連結する。
【００６８】
上述したように本実施形態による子守帯１においては、ファスナー２０Ａ、２０Ｂを開放して股幅調節シート部２１Ａ、２１Ｂを腰パッドポケット部２２に収納して、子守帯１を狭幅状態（図９）とすることができるので、図１（ｂ）に示したように幼児３の足を自然な状態として縦前向き抱っこを行うことができる。
【００６９】
また、図９に示したように股部縫製ライン２９を股縁部２８を外して外面側に配置したので、股部縫製ライン２９が幼児３の股繰り（足の付け根の部分）に当たって強い刺激を与えることを防止できる。
【００７０】
次に、本実施形態による子守帯１をおんぶ形態（図１（ｄ））で使用する際の手順について、図３０乃至図３３を参照して説明する。
【００７１】
子守帯１をおんぶ形態で使用する際には、上述した縦対面抱っこ形態の場合と同様に（図１４）、ファスナー２０Ａ、２０Ｂを閉じて拡幅状態としておく。この状態で幼児３を子守帯１の上に乗せ、図３０に示したように、肩ベルト９Ａ、９Ｂの付け根部分をしっかりと持って立ち上がる。
【００７２】
次に、サポートベルト１７Ａ、１７Ｂの長さと高さを調節し、図３１に示したようにサポートバックルを連結する。ここで、本実施形態による子守帯１においては、サポートベルト位置調節手段３０Ａ、３０Ｂ、３１Ａ、３１Ｂによってサポートベルト１７Ａ、１７Ｂの上下方向の位置を容易に調節することができる。
【００７３】
また、サポートベルト位置調節手段３０Ａ、３０Ｂ、３１Ａ、３１Ｂは、肩ベルト９Ａ、９Ｂの中に隠れて外側からは見えないので、使用状態において子守帯１の見栄えを良くして、すっきりさせることができる。
【００７４】
次に、図３２に示したようにユーザ２の腰に腰パッド６を巻いて、腰ベルトバックル８Ａ、８Ｂを連結する。続いて、図３３に示したように、脇ベルト１１Ａ、１１Ｂの先端を引き、ユーザ２の身体にフィットさせる。このとき、脇ベルト１１Ａ、１１Ｂの余りが左右同じ長さになるように調節する。もし脇ベルト１１Ａ、１１Ｂを短くし過ぎたときは、ラダー１０Ａ、１０Ｂを指で上に起こし、脇ベルト１１Ａ、１１Ｂを引っ張って長さを調節する（図２０）。
【００７５】
上述したように本実施形態による子守帯１によれば、引手カバー２６Ａ、２６Ｂと引手カバーホック２７Ａ、２７Ｂとから成るカバー手段を備えているので、ファスナー２０Ａ、２０Ｂを閉じた状態でその引手２５を引手カバー２６Ａ、２６Ｂによって覆うことにより、引手２５が意図せずに操作されることが防止され、子守帯１の使用中にファスナー２０Ａ、２０Ｂが意図せずに開放することを確実に防止することができる。
【００７６】
また、本実施形態による子守帯１によれば、抱っこ時の使用形態（対面抱っこおよび前向き抱っこ）や幼児の大きさ（成長）に応じて、子守帯１の股部の幅を、ファスナー２０Ａ、２０Ｂから成る股幅調節手段によって拡幅状態と狭幅状態とで適宜切り替えて、幼児３およびユーザ２にとって最適の抱っこ状態（無理のない、しっかりとしたホールド状態であり、また、前向き抱っこ時の幼児の足の動きを妨げない状態）を達成することができる。
【００７７】
特に、本実施形態による子守帯１は、狭幅状態における子守帯１の股幅を、低月齢の小さめの幼児を縦対面抱っこ形態で抱っこする際に適した寸法に設定しているので、幼児の大きさ（成長）に応じた最適の抱っこ状態を達成することができる。
【００７８】
また、本実施形態による子守帯１によれば、股部縫製ライン２９を、サポート本体５の股縁部２８から外側に外したので（図９）、股部縫製ライン２９が幼児の股繰りに当たって強い刺激を与えることを防止できる。特に、狭幅状態では幼児の足の付け根に近い敏感な部分に股縁部２８が来るので、股部縫製ライン２９をこの股縁部２８から外すことのメリットは大きい。
【００７９】
また、本実施形態による子守帯１によれば、ファスナー２０Ａ、２０Ｂを開放して股部当接部１９が狭幅状態にあるときのサポート本体５と腰パッド６との連結部分は分離不能に連結されているので、子守帯１の構造の簡素化を図ることができると共に、製造コストを低減することができる。
【００８０】
また、本実施形態による子守帯１によれば、ファスナー２０Ａ、２０Ｂの延在方向と、股幅調節シート部２１Ａ、２１Ｂの下縁とが成す角度が４５度よりも大きく設定されており、好ましくは略７５度に設定されているので、子守帯１の使用中において、ファスナー２０Ａ、２０Ｂのかみ合い部分であるエレメント同士を引き離す方向への外力の大きさを抑制することができる。
【００８１】
また、本実施形態による子守帯１は、サポートベルト１７Ａ、１７Ｂの端部を折り返して平坦な環状部３１Ａ、３１Ｂを形成し、この平坦な環状部３１Ａ、３１Ｂの中に、肩ベルト９Ａ、９Ｂに設けたスライドベルト３０Ａ、３０Ｂを挿通することにより、簡素な構造にて安価なサポートベルト位置調節手段を実現している。
【００８２】
また、このサポートベルト位置調節手段３０Ａ、３０Ｂ、３１Ａ、３１Ｂは肩ベルト９Ａ、９Ｂの中に配置されており、外からは見えないので、サポートベルト位置調節手段の存在によって子守帯１の外観が劣化することがなく、すっきりとした外観を実現することができる。
【００８３】
また、サポートベルト位置調節手段３０Ａ、３０Ｂ、３１Ａ、３１Ｂは全体として平坦な形状なので、肩ベルト９Ａ、９Ｂの中にサポートベルト位置調節手段を埋め込んでも、肩ベルト９Ａ、９Ｂの厚みが大幅に増してしまうようなことがない。
【００８４】
また、サポートベルト１７Ａ、１７Ｂの上下方向の移動は、容易に動き過ぎると子守帯１を使用しているうちにサポートベルト１７Ａ、１７Ｂの位置が変わり、適正な位置からずれてしまうことがある。一方、過度に動き難いと、子守帯１の装着時に、動かしたい位置にサポートベルト１７Ａ、１７Ｂを思うように動かせず、一度幼児を降ろして位置を変えるか、そのまま我慢して使うことになってしまう。
【００８５】
従って、サポートベルト１７Ａ、１７Ｂには適度な動き易さ／動き難さが必要とされるが、本実施形態による子守帯１においては、サポートベルト１７Ａ、１７Ｂの端部に平坦な環状部３１Ａ、３１Ｂを形成する際の縫製ライン３２の位置を、スライドベルト３０Ａ、３０Ｂの両側縁の僅かに外側に位置決めすることにより、サポートベルト１７Ａ、１７Ｂの動き易さ／動き難さを最適化している。
【００８６】
なお、本実施形態による子守帯１においては、サポートベルト位置調節手段を構成するスライドベルト３０Ａ、３０Ｂおよび平坦な環状部３１Ａ、３１Ｂを覆い隠すための部材として、肩ベルト９Ａ、９Ｂ自身を構成する部材を利用するようにしたが、これに代えて、肩ベルト自身の部材とは別に設けた部材によってサポートベルト位置調節手段を覆い隠すようにすることもできる。
【符号の説明】
【００８７】
１  子守帯
２  ユーザ
３  幼児
４  横抱っこシート
５  サポート本体
６  腰パッド（腰部装着手段）
７Ａ、７Ｂ  腰ベルト（腰部装着手段）
８Ａ、８Ｂ  腰ベルトバックル
９Ａ、９Ｂ  肩ベルト
１０Ａ、１０Ｂ  ラダー
１１Ａ、１１Ｂ  脇ベルト
１２  ブリッジベルト
１３Ａ、１３Ｂ  ブリッジバックル
１４  ヘッドサポート
１５Ａ、１５Ｂ  ヘッドサポートベルト
１６  ヘッドサポートバックル
１７Ａ、１７Ｂ  サポートベルト
１８Ａ、１８Ｂ  サポートバックル
１９  股部当接部
２０Ａ、２０Ｂ  ファスナー（股幅調節手段）
２１Ａ、２１Ｂ  股幅調節シート部
２２  腰パッドポケット
２３  本体収納袋
２４Ａ、２４Ｂ  腰ベルト収納ポケット
２５  ファスナーの引手
２６Ａ、２６Ｂ  引手カバー（カバー手段）
２７Ａ、２７Ｂ  引手カバーホック（カバー手段）
２８  サポート本体の股縁部
２９  股部縫製ライン
３０Ａ、３０Ｂ  スライドベルト（サポートベルト位置調節手段）
３１Ａ、３１Ｂ  平坦な環状部（サポートベルト位置調節手段）
３２  平坦な環状部の縫製ライン
３３  肩ベルト外面シート
３４  肩ベルト内面シート
【図１】
2014176494.tif 000003
【図２】
2014176494.tif 000004
【図３】
2014176494.tif 000005
【図４】
2014176494.tif 000006
【図５】
2014176494.tif 000007
【図６】
2014176494.tif 000008
【図７】
2014176494.tif 000009
【図８】
2014176494.tif 000010
【図９】
2014176494.tif 000011
【図１０】
2014176494.tif 000012
【図１１】
2014176494.tif 000013
【図１２】
2014176494.tif 000014
【図１３】
2014176494.tif 000015
【図１４】
2014176494.tif 000016
【図１５】
2014176494.tif 000017
【図１６】
2014176494.tif 000018
【図１７】
2014176494.tif 000019
【図１８】
2014176494.tif 000020
【図１９】
2014176494.tif 000021
【図２０】
2014176494.tif 000022
【図２１】
2014176494.tif 000023
【図２２】
2014176494.tif 000024
【図２３】
2014176494.tif 000025
【図２４】
2014176494.tif 000026
【図２５】
2014176494.tif 000027
【図２６】
2014176494.tif 000028
【図２７】
2014176494.tif 000029
【図２８】
2014176494.tif 000030
【図２９】
2014176494.tif 000031
【図３０】
2014176494.tif 000032
【図３１】
2014176494.tif 000033
【図３２】
2014176494.tif 000034
【図３３】
2014176494.tif 000035
【図３４】
2014176494.tif 000036
【図３５】
2014176494.tif 000037
【図３６】
2014176494.tif 000038